(57)【要約】【課題】漏電や感電のおそれがなく安全に加湿することができ、省エネルギ化を図ることができ、経済的である加湿具の提供を目的とする。【解決手段】  吸水性を備え、吸収した水分を蒸気として放出する吸水体１２，１２Ｂと、湯たんぽ１１，１１Ｂ，１１Ｃ，１１Ｄとで加湿具本体１０，１０Ａ，１０Ｂを構成し、上記吸水体１２，１２Ｂに水分を吸収させ、上記湯たんぽ１１，１１Ｂ，１１Ｃ，１１Ｄに温めた液体を入れ、上記吸水体１２，１２Ｂを、上記湯たんぽ１１，１１Ｂ，１１Ｃ，１１Ｄの熱で暖め可能に上記湯たんぽ１１，１１Ｂ，１１Ｃ，１１Ｄの周辺に備えた。【選択図】図１
2010243117.tif 000002
【特許請求の範囲】
【請求項１】
吸水性を備え、吸収した水分を蒸気として放出可能な吸水体と、湯たんぽとで加湿具本体を構成し、
上記吸水体に水分を吸収させ、上記湯たんぽに温めた液体を入れ、
上記吸水体を、上記湯たんぽの熱で暖め可能に上記湯たんぽの周辺に配置した
加湿具。
【請求項２】
上記湯たんぽに、上記吸水体から放出した水蒸気が上記湯たんぽの上方へ通過することを許容する湯たんぽ通気許容部を形成し、
上記湯たんぽを、上記吸水体の上部に設置した
請求項１に記載の加湿具。
【請求項３】
上記加湿具本体を収容可能な収容体を備え、
上記収容体に、蒸気の通過を許容する収容体通気許容部を形成した
請求項１、又は、２に記載の加湿具。
【請求項４】
上記収容体通気許容部を閉塞可能な閉塞手段を、上記収容体に備え、
上記閉塞手段を上記収容体に対して着脱可能に構成した
請求項３に記載の加湿具。
【請求項５】
ペットが載るペット載上部を、上記収容体の上部に形成し、
上記ペット載上部に、上記収容体通気許容部を形成した
請求項３、又は、４に記載の加湿具。
【請求項６】
ペットが載るペット載上部を、上記収容体の上部に形成し、
上記ペット載上部に、尿が上記加湿具の側へ滴下することを防止する尿滴下防止手段を備え、
上記ペット載上部の外周側に、上記収容体通気許容部を形成した
請求項３、又は、４に記載の加湿具。
【請求項７】
上記加湿具本体、及び、上記収容体のうち少なくとも一方に、周囲の臭気を改善する臭気改善手段を備えた
請求項３から６のいずれかに記載の加湿具。
【発明の詳細な説明】
【技術分野】
【０００１】
この発明は、例えば、湯たんぽを用いた加湿具に関し、ペット（愛玩動物）用として用いるに好適な加湿具に関する。
【背景技術】
【０００２】
例えば、冬季などの空気が乾燥する時期には、ウィルスや埃が拡散した状態になり、また、春先には、花粉が拡散した状態になるため、これらウィルスなどから人体を保護するために周囲を適度な湿度に保つ必要があることからも、加湿器は、広く用いられている。
【０００３】
このような加湿器は、電源から供給される電気をもとにヒータを加熱し、該熱を利用して水を蒸発させて加湿する構成のものが従来より多数存在する。  
例えば、下記特許文献１の「加湿器」もその１つである。  
下記特許文献１の「加湿器」は、高吸水率の材料で形成され多数の貫通孔を有する蒸発器の周囲に、吸水材を密着させて取り付けた構成である。吸水材は、タンクの中に入れられた水に浸されていた状態で取り付けられる。  
さらに上記「加湿器」は、吸水材を通じて蒸発器に水分を供給し、蒸発器の片側には送風機とヒーターを配置して、蒸発器にヒーターで加熱した空気を送風し、蒸発器の貫通孔を空気が通過するときに、蒸発器の水分が空気に拡散されるため、加湿することができる。
【０００４】
このように上記「加湿器」は、電気で稼動するヒーターや送風機を備えた構成であるため、電力消費量が嵩み、省エネルギー化を図ることができず、経済的でない。また、電気と水を使用するため、漏電や感電の危険性がある。さらに、人体への影響が懸念される電磁波が発生するという難点も有する。
【０００５】
さらにまた、例えば、ペットを飼っている家庭において、飼い主が留守中にもペットの周囲を適度な湿度に保つために加湿具を稼動させたまま外出する場合がある。  
しかし、万が一にもペットが加湿具に接触して転倒し、ヒータや送風機が水に濡れると漏電のおそれがある。また、ペットが配線などに噛み付くなどして感電することや火災の原因にもなるおそれがあり、留守中には、飼い主の目が届かないため危険であった。  
なお、留守の間ペットから離した場所で加湿器を稼動させた場合も十分な加湿効果を得ることができないという難点がある。
【先行技術文献】
【特許文献】
【０００６】
【特許文献１】特開平６−６６４３７号公報
【発明の概要】
【発明が解決しようとする課題】
【０００７】
そこで、本発明は、漏電や感電のおそれがなく安全に加湿することができ、省エネルギ化を図ることができ、経済的である加湿具の提供を目的とする。
【課題を解決するための手段】
【０００８】
本発明は、吸水性を備え、吸収した水分を蒸気として放出可能な吸水体と、湯たんぽとで加湿具本体を構成し、上記吸水体に水分を吸収させ、上記湯たんぽに温めた液体を入れ、上記吸水体を、上記湯たんぽの熱で暖め可能に上記湯たんぽの周辺に配置した加湿具であることを特徴とする。
【０００９】
上記構成により、上記吸水体が吸収した水を、湯たんぽの熱により積極的に蒸発させ、周囲を加湿することができる。
【００１０】
上記加湿具は、電気を使用せずとも、加湿することができる構成であるため、水を用いる構成に関らず、漏電や感電のおそれがなく、また、人体への影響が懸念されている電磁波を発生することがないため、安全に用いることができる。また、これら漏電や感電などの事態が生じないよう対策を施す必要がないため、簡素な構成で構成することができる。
【００１１】
さらに、上記加湿具は、電気を用いないため、省エネルギー化を図ることができ、経済的である。
【００１２】
上記湯たんぽは、金属材料や合成樹脂材料といった熱伝導性材料で構成することができる。  
金属材料は、例えば、ステンレス、銅、アルミニウム、鉄、或いは、金属合金を挙げることができる。合成樹脂材料は、例えば、高密度ポリエチレンを挙げることができる。
【００１３】
上記吸水体は、例えば、タオル、ガーゼなどの布片、クッション材、発泡ウレタン（スポンジ）、或いは、これらを組み合わせたもので形成することができる。
【００１４】
この発明の態様として上記湯たんぽに、上記吸水体から放出した水蒸気が上記湯たんぽの上方へ通過することを許容する湯たんぽ通気許容部を形成し、上記湯たんぽを、上記吸水体の上部に設置することができる。
【００１５】
上述したように、上記湯たんぽに、上記湯たんぽ通気許容部を形成することにより、上記吸水体における湯たんぽとの接触部分近傍から放出した水蒸気は、上方へ放出することを湯たんぽ自体によって阻害されることなく上記湯たんぽ通気許容部を通じて上記湯たんぽの上方へ充分に放出することができる。
【００１６】
さらに、上記湯たんぽを上記吸水体の上部に設置すれば、上記吸水体を、液体が入り重くなった状態の湯たんぽで押し付けることができる。よって、上記湯たんぽと上記吸水体との密着性が向上し、該吸水体を効果的に温めることができるため、上記吸水体から水蒸気を積極的に放出させることができる。
【００１７】
またこの発明の態様として上記加湿具本体を収容可能な収容体を備え、上記収容体に、蒸気の通過を許容する収容体通気許容部を形成することができる。
【００１８】
上記構成により、収容体に足などの人体を接触させることにより、暖め効果を得ることができる。その際、足などの人体が直接、上記吸水体に接触することがないため、濡れることがなく使い勝手よく用いることができる。
【００１９】
さらに、上記加湿具本体は、収容体に収容しても、収容体通気許容部を通じて蒸気を放出できるため、充分な加湿効果も得ることができる。
【００２０】
例えば、加湿具を、人が椅子に着席した状態の足元に設置し、該加湿具に足を載せるなどして触れることで足先を暖めることができるため、暖め効果を得ることができるとともに、加湿効果も得ることができる。
【００２１】
またこの発明の態様として上記収容体通気許容部を閉塞可能な閉塞手段を、上記収容体に備え、上記閉塞手段を上記収容体に対して着脱可能に構成することができる。
【００２２】
上記構成により、閉塞手段で上記収容体通気許容部を上記閉塞手段で閉塞することができ、これにより、上記収容体通気許容部を通じて収容体の外側へ蒸気が放出しないようにすることができる。
【００２３】
よって、上記収容体通気許容部を閉塞手段で閉塞する度合いを調節することにより加湿具合を調節することができる。さらに、上記収容体通気許容部を閉塞手段で閉塞することにより、上記収容体通気許容部を通じて収容体の外側へ蒸気が放出されないため、収容体に人体を接触させても、蒸気により人体が濡れることなく暖め効果を得ることができる。
【００２４】
またこの発明の態様としてペットが載るペット載上部を、上記収容体の上部に形成し、上記ペット載上部に、上記収容体通気許容部を形成することができる。
【００２５】
上記湯たんぽは、上記ペット載上部に収容体通気許容部を形成しているため、収容体通気許容部を通過した水蒸気によりペットの周辺を効果的に加湿することができる。よって、ウィルスや埃などからペットを保護することができる。
【００２６】
なお、本発明の加湿具は、湯たんぽによる暖め効果により過剰に水分を水蒸気として放出することなく、緩やかに加湿することができるため、雑菌が増殖したり、ペットに湿気により不快感を与えることなく、適度に加湿でき、ペット用として用いるのに好適である。
【００２７】
なお、上記ペット（愛玩動物）は、例えば、犬、猫、兎などの哺乳類に限らず、鳥や爬虫類といった動物も含む。
【００２８】
またこの発明の態様としてペットが載るペット載上部を、上記収容体の上部に形成し、上記ペット載上部に、尿が上記加湿具の側へ滴下することを防止する尿滴下防止手段を備え、上記ペット載上部の外周側に、上記収容体通気許容部を形成することができる。
【００２９】
上記構成により尿や飲み水が上記ペット載上部の下方に有する加湿具本体側へ滴下することを防ぐことができる。
【００３０】
一方、加湿具本体から放出した水蒸気は、上記ペット載上部の外周側に形成した上記収容体通気許容部を通じて上昇し、ペットの周辺を加湿することができる。
【００３１】
よって、上記加湿具は、充分な加湿効果を得ることができるとともに、加湿具本体に尿がかかることがないため衛生的であり、また、尿が加湿具本体に温められて蒸発することにより悪臭が発生することもない。
【００３２】
またこの発明の態様として上記加湿具本体、及び、上記収容体のうち少なくとも一方に、周囲の臭気を改善する臭気改善手段を備えることができる。
【００３３】
上記加湿具本体から放出した蒸気は、温かいため上昇し、その上昇した空気の流れを活かして加湿具周囲の臭気を効果的に改善することができる。
【００３４】
加湿具をペット用として用いる場合において、臭気改善手段を備えることで、ペットがした尿やペット臭を抑制することができるため、特に顕著な効果を得ることができる。
【００３５】
上記臭気改善手段としては、例えば、芳香剤、消臭剤、脱臭剤を挙げることができる。  
芳香剤としては、市販の芳香剤などを用いることができる。
【００３６】
消臭剤、脱臭剤としては、特に限定しないが例えば、緑茶より抽出したフラボノイドを用いることができる。  
フラボノイドを用いた消臭剤であれば、フラボノイドが酸性、アルカリ性またはそれらが複合した悪臭を分解するとともに、天然抽出物であるため安全に消臭効果を得ることができ、さらに静菌効果を得ることができる。  
また、緑茶抽出成分は、誤飲しても無害であるため、安全性を確保できる。  
また、フラボノイドの静菌効果によって、フラボノイド成分が残存している間は、細菌の繁殖も防止することができる。
【００３７】
消臭剤、脱臭剤としては、除菌作用の有するエチルアルコールなどのアルコールを用いてもよい。
【発明の効果】
【００３８】
本発明は、漏電や感電のおそれがなく安全に加湿することができ、省エネルギ化を図ることができ、経済的である加湿具を提供することができる。
【図面の簡単な説明】
【００３９】
【図１】第一実施形態の加湿具の断面図。
【図２】第一実施形態の加湿具の使用状態の説明図。
【図３】第二実施形態の加湿具の断面図。
【図４】第二実施形態の加湿具の使用状態の説明図。
【図５】第三実施形態の加湿具の構成説明図。
【図６】第三実施形態の他の加湿具の一部を示す構成説明図。
【図７】第四実施形態の加湿具の平面図。
【図８】図７のＡ−Ａ線断面図（ａ），図７のＢ−Ｂ線断面図。
【図９】第四実施形態の加湿具の使用状態の説明図。
【発明を実施するための形態】
【００４０】
この発明の一実施形態を、以下図面を用いて説明する。  
（第一実施形態）  
第一実施形態における加湿具１は、図１（ａ），（ｂ）に示すように、加湿具本体１０と、該加湿具本体１０を収容する収容体２０と、適宜備えた足載せ構造３０とで構成している。  
なお、図１（ａ）は、上記加湿具１の構成を示す断面図であり、図１（ｂ）は、上記加湿具１を加湿機能付き足温器として使用する場合の構成を示す断面図である。
【００４１】
上記加湿具本体１０は、湯たんぽ１１と、吸水性蒸発布帛１２と、これらを載置する受け皿１３とで構成している。
【００４２】
上記湯たんぽ１１は、内部に液体を貯溜可能な貯水部１４を有した中空状に形成されている。  
上記湯たんぽ１１は、真鍮（黄銅）製であるが、熱伝導性材料であれば、その他の金属材料や合成樹脂材料で形成してもよい。
【００４３】
湯たんぽ１１は、上記貯水部１４の外側と連通する湯たんぽ開口部１５を備えている。上記湯たんぽ開口部１５には、螺合により着脱可能に栓１６を備え、湯たんぽ開口部１５を止水可能に構成してもいる。
【００４４】
上記吸水性蒸発布帛１２は、吸水性、及び、吸収した水分を蒸発可能な蒸散性に優れた綿糸で形成したタオル生地（カットパイル生地）で形成するとともに、湯たんぽ１１を上方から被覆可能な大きさで形成している。
【００４５】
上記受け皿１３は、上面全体が開口し、底の浅い皿型の直方体形状で形成するとともに、熱伝導性の低い断熱材料で形成している。
【００４６】
また、上記収容体２０は、収容体本体２１と蓋２２とで構成している。  
上記収容体本体２１は、上面に開口部２５を有した直方体の箱型であり、内部に加湿具本体１０を収容可能に構成している。
【００４７】
収容体本体２１の側面には、複数の収容体通気孔２４を配設し、該収容体通気孔２４により収容体本体２１の内側と外側とを連通している。
【００４８】
上記蓋２２は、収容体本体２１に対して開口部２５を開閉自在にヒンジ２３により枢着されている。上記蓋２２にも、面全体に複数の収容体通気孔２４が配設されている。
【００４９】
続いて、上記足載せ構造３０について説明する。足載せ構造３０は、図１（ｂ）に示すように、通気孔閉塞板３１と足載せクッション体３２とで構成している。  
通気孔閉塞板３１は、収容体２０の蓋２２と平面視略同じ長方形状、及び、大きさを有し、例えば、３ｍｍ〜１０ｍｍ程度の比較的薄肉の板状例えば、アルミ製などの熱伝導性に優れた部材で形成している。
【００５０】
足載置クッション３２は、袋状のカバー３２ａ内部に綿３２ｂを封入して形成し、両足を載置可能であるとともに、収容体２０の蓋２２と平面視略同じ長方形状、及び、大きさを有して形成している。
【００５１】
上述した第一実施形態の加湿具１は、以下のような様々な作用、効果を奏することができる。  
加湿具１を使用する際には、まず、蓋２２を開き、湯たんぽ１１を受け皿１３の平面視略中央部分に載置し、さらに、その上から湯たんぽ１１を覆うように上記吸水性蒸発布帛１２を被せる。  
なお、予め上記湯たんぽ１１には、貯水部１４に湯が貯溜され、上記吸水性蒸発布帛１２には、充分に水分を吸収させている。
【００５２】
吸水性蒸発布帛１２に吸収させる水分は、常温であってもよいが、加湿性能を向上させたい場合には、湯を用いてもよい。この場合、吸水性蒸発布帛１２に直接、湯を吸収させてもよいが、常温の水を吸水性蒸発布帛１２に吸収させ、その状態で吸水性蒸発布帛１２ごと電子レンジで加熱したものを用いてもよい。
【００５３】
加湿具１は、例えば、図２（ａ）に示すように、椅子に座って読書している人Ｈの傍に設置して用いることができる。  
なお、図２（ａ）は、上記加湿具１の使用状態を示す説明図である。
【００５４】
詳しくは、湯たんぽ１１の熱により、該湯たんぽ１１を覆う吸水性蒸発布帛１２が温められ、吸水性蒸発布帛１２から水分を水蒸気として放出することができる。水蒸気は、図１（ａ）、及び、図２（ａ）に示すように、収容体通気孔２４を通じて収容体２０の外部に放出され、読書している人の周辺の空気を加湿することができる。
【００５５】
このように、加湿具１は、電気を使用せずとも、加湿することができる構成であるため、漏電や感電のおそれがなく安全に用いることができる。また、これら漏電や感電などの事態が生じないよう対策を施す必要がないため、簡素な構成で構成することができる。
【００５６】
さらに、上記加湿具１は、電気を用いないため、省エネルギー化を図ることができ、経済的であり、また、電気で稼動する加湿器のように、使用後に、電源を消し忘れてしまい、電気代を浪費することや火事になるおそれもなく、また、電源を自動的に消すタイマー機能などを備える必要がないため、簡素な構成で構成することができる。
【００５７】
また、上記加湿具１は、加湿機能付き足温器としても使用することができる。  
詳しくは、図１（ｂ）に示すように、収容体２０の蓋２２の上面に通気孔閉塞板３１を設置する。これにより、蓋２２に形成した複数の収容体通気孔２４を全て閉塞することができる。さらに、通気孔閉塞板３１の上に足載置クッション３２を載置する。
【００５８】
加湿具１をこの状態で、足元に設置し、例えば、図２（ｂ）に示すように、足を載せることにより冬場において暖房をつけていても特に冷え易い足先部分や足裏部分を効果的に暖めることができる。  
加湿具１を図２（ｂ）に示すように用いることで、頭部を冷やして足部を温める頭寒足熱の状態にすることが可能となり、集中力を高めることができるとともに、風邪をひき難くなるため、加湿具１は、特に受験勉強の際に用いるに好適である。
【００５９】
なお、図２（ｂ）は、上記加湿具１を湯たんぽとして使用する場合の使用状態を示す説明図である。
【００６０】
このとき、通気孔閉塞板３１により蓋２２に形成した複数の収容体通気孔２４を全て閉塞し、該収容体通気孔２４からの水蒸気の放出を遮断することができるため、水蒸気で足載置クッション３２が濡れたり、足裏が蒸れることで不快感を感じることがない。
【００６１】
さらに、通気孔閉塞板３１は、熱伝導性部材で形成しているため、湯たんぽ１１によって暖められた収容体２０内部の熱が通気孔閉塞板３１に伝わることにより、足載置クッション３２に載せた足を暖めることができる。
【００６２】
さらにまた、加湿具１は、通気孔閉塞板３１を蓋２２に設置した状態でも、吸水性蒸発布帛１２から放出される水蒸気は、収容体２０の側面に形成した収容体通気孔２４を通じて外部へ放出されるため、足を暖めている際にも、加湿効果を得ることができる。
【００６３】
また、直接、湯たんぽ１１に接触せず、収容体２０を介して足を暖めるため、安全に暖めることができる。
【００６４】
以上、詳述したように、使用者は、周囲を加湿しながら図２（ａ）に示すように読書することができ、また、足が冷えた場合には、図２（ｂ）に示すように読書をしながら足を暖めることができるため、加湿具１を加湿器として、或いは、湯たんぽとして使い分けて用いることができる。
【００６５】
また、上記加湿具１を湯たんぽとしてではなく加湿器として用いる場合には、上記通気孔閉塞板３１を、加湿度合いを調節する治具として用いることができる。  
例えば、蓋２２に設置した通気孔閉塞板３１の設置箇所を蓋２２に対してずらすことにより、該通気孔閉塞板３１により閉塞する収容体通気孔２４の数や場所を変更することができる。
【００６６】
これにより、収容体２０上面から放出される水蒸気の量を調節することができ、加湿具合を調節することができる。
【００６７】
このように、上記加湿具１を、足置き台を兼ねた湯たんぽとして暖め機能を得るために用いることがなく加湿機能を得るためにのみ用いる場合には、上記足載せ構造３０のうち少なくとも足載置クッション３２を省いた構成であってもよい。  
なお、収容体２０は、蓋２２を開けた状態で使用してもよい。この場合、上方を完全に開放することができるため、早急に加湿したい場合に有効である。
【００６８】
また、加湿具１は、収容体２０の側面に収容体通気孔２４を配設した構成であったが、蓋２２のみに収容体通気孔２４を配設した構成であってもよい。
【００６９】
加湿具１は、上述したように足を暖めるために用いるに限らず、例えば、手、腕、膝（大腿部を含む）、腰、頭部といった他の部分を暖め可能に構成してもよい。
【００７０】
なお、上述した受け皿１３は、湯たんぽ１１の熱が底面側へ逃げないような構成であれば、上述したように断熱性材料で形成するに限らず、全体を熱伝導性材料で形成し、その表面を断熱シートで覆い断熱性を確保した構成であってもよい。
【００７１】
以下では、他の実施形態における加湿具２，３，４について説明する。  
但し、以下で説明する構成のうち、上述した第一実施形態における加湿具１と同様の構成については、同一の符号を付して、その説明を省略する。
【００７２】
（第二実施形態）  
第二実施形態における加湿具２は、ペット用の加湿具として図３に示すように構成している。  
なお、図３は、加湿具２の縦断面図である。
【００７３】
詳しくは、加湿具本体１０Ａは、湯たんぽ１１と吸水性蒸発布帛１２とこれらを設置する引出し式受け皿１３Ａとで構成している。収容体２０Ａは、右側面を開口させた側方開口部２６を通じて引出し式受け皿１３Ａを引き出し可能に構成している。収容体２０Ａの側方開口部２６には、該側方開口部２６を閉塞し、収容体２０Ａの右側面を構成する右側面構成板部２７Ａを備え、該右側面構成板部２７Ａは、引出し式受け皿１３Ａの底面から立設され、引出し式受け皿１３Ａと一体に形成している。右側面構成板部２７Ａは、引き出し用の取手２７Ａａが形成されている。
【００７４】
さらに、引出し式受け皿１３Ａの底面部には、湯たんぽ１１を設置可能に上方を除く周囲を壁面に囲まれた湯たんぽ設置部２７Ｂを形成している。
【００７５】
また、収容体２０Ａは、蓋２２を備えずに、上面中央部分にペットＰである犬を下側から支持可能なペット載上板２５を備えている。ペット載上板２５は、上面中央部に形成した上面開口部の縁部に対して取り外し可能に嵌め込まれている。ペット載上板２５には、収容体２０Ａの内側と外側とを連通する複数の収容体２０Ａ通気孔を配設している。
【００７６】
上記構成の加湿具２は、以下のような作用、効果を得ることができる。  
加湿具２を使用する際には、まず、引出し式受け皿１３Ａを収容体２０Ａから引き出し、さらに、湯たんぽ１１を、引出し式受け皿１３Ａの湯たんぽ設置部２７Ｂに載置し、さらに、その上から湯たんぽ１１を覆うように上記吸水性蒸発布帛１２を被せる。  
なお、予め上記湯たんぽ１１には、貯水部１４に湯が貯溜され、上記吸水性蒸発布帛１２には、充分に水分を吸収させている。
【００７７】
これにより、図３に示すように、湯たんぽ１１の熱で吸水性蒸発布帛１２が温められ、水分を水蒸気として放出することができる。水蒸気は、収容体通気孔２４を通じてペット載上板２５の上方へと放出される。
【００７８】
以上により、図４に示すように、ペットＰがペット載上板２５の上に載り、休息している状態で、ペットＰの周辺の空気を下側からダイレクトに加湿することができ、加湿効果を効果的に得ることができる。  
なお、図４は、ペットＰが加湿具２の上に載っている様子を示す。
【００７９】
詳しくは、空気が乾燥した場合、人間にとって様々な弊害が招来するが、ペットにとっても同じような弊害が招来する。
【００８０】
例えば、空気が乾燥すれば、埃や毛が舞い易くなり、衛生的でなく、ペットにとってもこの好ましくない。  
さらに、冬は、気温が低下するとともに空気が乾燥するため、ウィルスの活動が活発になる。このため、ペットであっても、呼吸器感染症になり、いわゆる風邪をひいてしまう。免疫力の低い高齢犬や子犬の場合、肺炎をひき起こすおそれもあり危険である。  
なお、室内で飼育する場合もエアコンをつけるため、より乾燥し易くなり、乾燥に対して充分な対策を施す必要がある。
【００８１】
また、春先には、花粉が舞うが、乾燥により、それがより顕著になり、ペットも花粉に対するアレルギー反応をひき起こすおそれがある。
【００８２】
このように、ペットの健康を維持する上でも、湿度、温度を適切な値に保つ必要がある。
【００８３】
これに対して、上述したように、ペットの周辺の空気を加湿することで、ウィルス、花粉、埃などからペットを保護することができる。
【００８４】
また、例えば、市販の加湿器を使用した場合、通常、電気により稼動するため、犬小屋に加湿器を設置して使用した場合には、水に濡れて漏電のおそれがあり、また、ペットが配線などを噛むなどするおそれがあり危険であるが、上記加湿具２は、電気を使用しないで用いることができるため、安全であり、留守中でも使用できるため、飼い主にとっても安心して用いることができる。
【００８５】
さらに、上記加湿具２は、湯たんぽ１１による暖め効果により緩やかに水分を水蒸気として放出するため、ペット周辺の空気が過剰に加湿され、湿度が高くなりすぎることがない。このため、雑菌が増殖したり、ペットに湿気により不快感を与えることなく、適度に加湿でき、ペット用として用いるのに好適である。
【００８６】
また、加湿具本体１０Ａから放出される水蒸気は、温かな蒸気であり、ペットは、加湿効果とともに暖め効果も得ることができる。
【００８７】
（第三実施形態）  
第三実施形態の加湿具３も、ペット用であるが、図５に示すように、収容体２０Ａについては第二実施形態の収容体２０Ａと同様の構成であるが、加湿具本体１０Ｂについては第二実施形態の加湿具本体１０Ａと異なる構成である。  
なお、図５（ａ）は、加湿具３の幅方向の中央部分から幅方向の一方の側へずらして切断した縦断面図である。図５（ｂ）は、加湿具本体１０Ｂの主要な構成を示す斜視図であり、図５（ｃ）は、図５（ｂ）のＣ−Ｃ線断面図である。
【００８８】
詳しくは、加湿具本体１０Ｂは、湯たんぽ１１Ｂと発泡ウレタン部材１２Ｂと引出し式受け皿１３Ａとで構成している。なお、引出し式受け皿１３Ａについては第二実施形態の引出し式受け皿１３Ａと同様の構成である。
【００８９】
湯たんぽ１１Ｂは、偏平型の倒位の直方体で形成するとともに、幅方向の両側から中央へ向けて切り欠いた湯たんぽ通気切欠き部２８を備えている。湯たんぽ通気切欠き部２８は、湯たんぽ１１Ｂに合計６つ形成している。具体的には、幅方向の各側に３つずつ形成し、それぞれ平面視長手方向の中央部分、及び、その両側部分に幅方向において対称形状に配設している。
【００９０】
発泡ウレタン部材１２Ｂは、内部のセル（気泡）が互いに連通した吸水性に優れたものを用い、水を充分に吸収可能な厚みを有して形成するとともに、上記湯たんぽ１１Ｂを上面に載置可能な大きさの板状に形成している。
【００９１】
上述した第三実施形態の加湿具３は、以下のような様々な作用、効果を奏することができる。  
上記構成の加湿具３を使用する際には、まず、引出し式受け皿１３Ａを収容体２０Ａから引き出し、さらに、発泡ウレタン部材１２Ｂを、引出し式受け皿１３Ａの湯たんぽ設置部２７Ｂに載置し、さらに、湯たんぽ１１Ｂを発泡ウレタン部材１２Ｂに設置する。  
なお、予め上記湯たんぽ１１Ｂには、貯水部１４に湯が貯溜され、上記発泡ウレタン部材１２Ｂには、充分に水分を吸収させている。
【００９２】
上述したように、湯たんぽ１１Ｂに、複数の湯たんぽ通気切欠き部２８を形成することにより、単に、偏平状の直方体で形成した湯たんぽ１００よりも（図５（ｂ）中の仮想線で示した湯たんぽ１００参照）加湿性能を向上させることができる。  
詳しくは、発泡ウレタン部材１２Ｂにおける湯たんぽ１１Ｂとの接触部分近傍から放出した水蒸気は、湯たんぽ通気切欠き部２８を通じて上記湯たんぽ１１Ｂの上方へ充分に放出することができる。
【００９３】
このため、水蒸気は、発泡ウレタン部材１２Ｂから上方へ放出することを湯たんぽ１１Ｂ自体によって阻害されることなく発泡ウレタン部材１２Ｂの外周部分のみならず、中央部分からも水分を水蒸気として放出させることができるため、ペット周辺の空気を優れた加湿性能で加湿することができる。
【００９４】
さらにまた、上述したように、湯たんぽ１１Ｂを発泡ウレタン部材１２Ｂの上面に設置すれば、上記発泡ウレタン部材１２Ｂを、湯が充填され、重くなった状態の湯たんぽ１１Ｂで発泡ウレタン部材１２Ｂを押し付けることができる。よって、湯たんぽ１１Ｂと発泡ウレタン部材１２Ｂとの密着性が向上し、該発泡ウレタン部材１２Ｂを効果的に温めることができるため、発泡ウレタン部材１２Ｂから水蒸気を積極的に放出させることができる。
【００９５】
また、湯たんぽは、湯たんぽ通気切欠き部を備えて形成する場合、図５に示した湯たんぽ１１Ｂの形態に限らず、他の形態であってもよい。  
例えば、図６（ａ）に示すように、湯たんぽ１１Ｃを、平面視円環状に構成してもよい。  
この構成によれば、中央部に上下方向に連通した大きな湯たんぽ通気孔２８Ｃを備えることができるため、該湯たんぽ通気孔２８Ｃを通じて発泡ウレタン部材１２Ｂから水蒸気を効率的に放出させることができる。
【００９６】
また、例えば、図６（ｂ）に示すように、湯たんぽ１１Ｄを、骨の形をモチーフとした平面視骨型形状で構成することができる。
【００９７】
この構成によれば、湯たんぽ１１Ｄの長さ方向の両端を除く棒状部分の幅方向の両外側部分に湯たんぽ通気切欠き部２８Ｄを備えることができるため、該湯たんぽ通気切欠き部２８Ｄを通じて発泡ウレタン部材１２Ｂから水蒸気を効率的に放出させることができる。
【００９８】
さらに、図６（ｂ）に示した湯たんぽ１１Ｄは、犬などのペットが好きな骨の形をモチーフとしてペットに関連させて構成しているため、飼い主は、湯たんぽ１１Ｄをペット用として愛着をもって使用することができる。
【００９９】
その他にも、加湿具は、上述した形態に限定せず、様々な構成で形成することができる。例えば、湯たんぽ１１Ｂ，１１Ｃ，１１Ｄの下に発泡ウレタン部材１２Ｂを敷くに限らず、吸水性布帛１２を敷いてもよい。  
なお、第一実施形態の加湿具本体１０、第二実施形態の加湿具本体１０Ａには、吸水性布帛１２を用いるに限らず、発泡ウレタン部材１２Ｂを用いた構成も排除しない。
【０１００】
（第四実施形態）  
第四実施形態の加湿具４は、ペット用であるが、図７、及び、図８に示すように上述とは異なる構成の収容体２０Ｅで構成している。  
なお、図７は、上記加湿具４の平面図であり、図８（ａ）は、図７のＡ−Ａ線断面図であり、図８（ｂ）は、図７のＢ−Ｂ線断面図である。
【０１０１】
詳しくは、上記ペット載上板２５Ｅは、多数の貫通孔３６をメッシュ状に配設し、上面開口部に対して着脱自在に構成している。ペット載上板２５Ｅの上部には、主にペットから排泄された尿を吸収可能な尿取りシート３３を敷設している。
【０１０２】
上記ペット載上板２５Ｅの下部には、尿などの水分が加湿具本体１０Ｂ側へ滴下することを防止する水分滴下防止構造３０を備えている。  
上記水分滴下防止構造３０は、尿などの水分を貯液可能な貯水容器３４と、ペット載上板２５Ｅの貫通孔３６から滴下した尿などの水分を上記貯水容器３４へ向けて案内可能な案内部３５とで構成している。  
貯水容器３４は、案内部３５の中央最下部分に該案内部３５に対して着脱可能に備えている。
【０１０３】
案内部３５は、中央部が収容体２０Ｅ内部に向けて突出するよう傾斜した漏斗状に形成している。さらに、案内部３５、及び、貯水容器３４は、断熱素材により形成している。
【０１０４】
また、収容体２０Ｅの上面部における上記ペット載上板２５Ｅの外周側、具体的には、背面側、左右各側面側には、収容体通気孔２４Ｅを形成している。
【０１０５】
収容体通気孔２４Ｅは、収容体２０Ｅの内側と外側と連通し、背面側、左右側面側の各端部に沿った長尺状に形成している。
【０１０６】
また、上記収容体通気孔２４Ｅの上方側縁部には、芳香剤を着脱可能に備えている。
【０１０７】
上記構成の加湿具４は、以下のような作用、効果を得ることができる。  
尿取りシート３３の上に載ったペットが尿をしたり、飲み水を零した場合でも、尿取りシート３３によりしっかりと水分を吸収することができる。このため、尿や飲み水が上記ペット載上板２５Ｅの下方に滴下することを防ぐことができる。
【０１０８】
仮に、尿等の水分が貫通孔３６を通じて上記ペット載上板２５Ｅの下方へ滴下した場合でも、滴下した水分が案内部３５を伝って貯水容器３４で回収することができる。  
このため、尿等の水分が加湿具本体１０Ｂ側へ滴下することを確実に防ぐことができる。さらに、尿などの水分は、貯水容器３４という１箇所に集めて回収することができるため、貯水容器３４を収容体２０Ｅから取り外すなどして容易に掃除をすることができる。
【０１０９】
また、案内部３５、及び、貯水容器３４は、断熱材で形成しているため、下側から湯たんぽ１１Ｄにより温められても、臭気が発生するおそれがない。
【０１１０】
一方、案内部３５は、該案内部３５の中央部が収容体２０Ｅ内側へ向けて突出した傾斜形状であるため、加湿具本体１０Ｂから放出した水蒸気は、案内部３５の下面により外周側へ案内される。
【０１１１】
そして、ペット載上板２５Ｅの平面視外周側に有する上記収容体通気孔２４Ｅを通じて収容体２０Ｅの外側へ放出され、図９に示すようにペットＰの周囲を加湿することができる。  
なお、図９は、ペットが加湿具４の上に載っている様子を示す。
【０１１２】
よって、上記加湿具４は、充分な加湿効果を得ることができるとともに、加湿具本体１０Ｂが尿で濡れることがないため衛生的であり、また、尿が加湿具本体１０Ｂにより温められることで悪臭が発生することもない。
【０１１３】
さらに、水蒸気を含んだ空気が上記収容体通気孔２４Ｅを通過する際、芳香剤４０によって芳香されるため、加湿効果とともに、ペットＰの周囲を芳香することができる。
【０１１４】
上記加湿具本体１０Ｂから放出した蒸気は、温かいため上昇し、その上昇した空気の流れを活かして加湿具４周囲の臭気を効果的に改善することができる。よって、ペットＰがした尿やペット臭を効果的に抑制することができるため、ペット用として用いると特に顕著な効果を得ることができる。
【０１１５】
本発明の加湿具は、上述した実施形態に限定せず、その他にも様々な実施形態で形成することができる。  
例えば、上記加湿具本体１０，１０Ａ，１０Ｂに、上記湯たんぽ１１，１１Ｂ，１１Ｃ，１１Ｄに対する吸水性布帛１２、或いは、発泡ウレタン部材１２Ｂの滑りを防止する滑り防止手段を備えることができる（図示せず）。
【０１１６】
上記構成により、例えば、加湿具１，２，３，４を動かしたり、人体が加湿具１，２，３，４に接触したり、或いは、ペットＰがペット載上板２５，２５Ｅの上を動くなどした場合でも、吸水性布帛１２、或いは、発泡ウレタン部材１２Ｂが上記湯たんぽ１１，１１Ｂ，１１Ｃ，１１Ｄに対して位置ズレすることを阻止ことができる。よって、常に、優れた加湿効果を得ることができる。
【０１１７】
さらに、上記湯たんぽ１１，１１Ｂ，１１Ｃ，１１Ｄに対する吸水性布帛１２、或いは、発泡ウレタン部材１２Ｂの位置を逐次確認したり整えたりする手間を要しないため、使い勝手よく使用することができる。
【０１１８】
なお、滑り防止手段には、固定手段や摩擦発生手段を挙げることができる。
【０１１９】
上記固定手段は、例えば、面ファスナ、ボタン、バンド、或いは、これらを組み合わせた部材を挙げることができ、上記ボタンには、例えば、ドットボタン、バネホックなどのスナップボタンを含む。
【０１２０】
上記摩擦発生手段は、例えば、シリコンやゴムシートを挙げることができる。
【０１２１】
上述した実施形態と、この発明の構成との対応において、
吸水性布帛１２、及び／又は、発泡ウレタン部材１２Ｂは、吸水体に対応し、
閉塞手段は、通気孔閉塞板３１に対応し、
収容体通気孔２４，２４Ｅは、収容体通気許容部に対応し、
湯たんぽ通気切欠き部２８，２８Ｄ、又は、湯たんぽ通気孔２８Ｃは、湯たんぽ通気許容部に対応し、
ペット載上板２５，２５Ｅは、ペット載置部に対応し、
尿取りシート３３、及び／又は、水分滴下防止構造３０は、尿滴下防止手段に対応し、
臭気改善手段は、芳香手段４０に対応するものとする。
【符号の説明】
【０１２２】
１，２，３，４…加湿具
１０，１０Ａ，１０Ｂ…加湿具本体
１１，１１Ｂ，１１Ｃ，１１Ｄ…湯たんぽ
１２…吸水性布帛
１２Ｂ…発泡ウレタン部材
２０，２０Ａ，２０Ｅ…収容体
２４，２４Ｅ…収容体通気孔
２５，２５Ｅ…ペット載上板
２８，２８Ｃ，２８Ｄ…湯たんぽ通気切欠き部
２８Ｃ…湯たんぽ通気孔
３３…尿取りシート
３０…水分滴下防止構造
３１…通気孔閉塞板
【図１】
2010243117.tif 000003
【図２】
2010243117.tif 000004
【図３】
2010243117.tif 000005
【図４】
2010243117.tif 000006
【図５】
2010243117.tif 000007
【図６】
2010243117.tif 000008
【図７】
2010243117.tif 000009
【図８】
2010243117.tif 000010
【図９】
2010243117.tif 000011